(57)【要約】【課題】釣りの熟練者のみならず、初心者でも容易に遠方まで遠投でき、また浮きとコマセ籠との結合及び離脱を簡単な構成にして確実に行える遠投用天秤付きコマセ籠を提供する。【解決手段】遠投時に、天秤の先端部に係止手段を設け、この係止手段により天秤をコマセ籠と略平行状態に保持すると同時に、開口部に嵌合した浮きの離合方向への動きを規制し、着水後に上記係止手段を外して、天秤を自らの弾性力によりコマセ籠の周方向に突出する状態に復帰させると同時に、浮きの離合方向への動き規制を解除する。【選択図】図１３
2012090622.tif 000002
【特許請求の範囲】
【請求項１】
内部にコマセ収納部を有し、一端に遠投時に浮きが嵌合して閉塞される開口部を設ける一方、他端に錘を有する有底部を設けた断面略Ｕ形状のコマセ籠と、同コマセ籠の有底部に設けた周方向に突出且つ弾性力を有する天秤とから構成してなる遠投用天秤付きコマセ籠において、
上記天秤の先端部に上記コマセ籠の開口部端部若しくはコマセ籠の開口部に嵌合した浮きに係止する係止手段を設け、
遠投時には、上記天秤の係止手段をコマセ籠の開口部端部若しくは同コマセ籠の開口部に嵌合した浮きに係止して、該天秤をコマセ籠と略平行状態に保持すると同時に、同係止手段にて該コマセ籠の開口部に嵌合した浮きの離脱方向への動きを規制し、
着水後、上記天秤の係止手段の係止を外して、同天秤を自らの弾性力により元の状態に復帰させると同時に、上記コマセ籠の開口部に嵌合した浮きの離脱方向の動き規制を解除するようにしたことを特徴とする遠投用天秤付きコマセ籠。
【請求項２】
上記天秤の係止手段を、同天秤の先端部に設けられ、一端に上記コマセ籠の開口部内側面に係止するフック部と、一側面に浮きと係合する凸部を設けた翼部とを有する羽根片により構成してなり、
上記羽根片のフック部をコマセ籠の開口部内側面に係止して、上記天秤及び羽根片を上記コマセ籠及び開口部に嵌合した浮きと略平行状態に保持すると同時に、上記羽根片の凸部を該コマセ籠の開口部に嵌合した浮きに係合して同浮きの離脱方向への動きを規制し、
着水後竿のシャクリに伴う水の抵抗により上記羽根片を回動し、この羽根片の回動動作により上記羽根片のフック部を外して、上記天秤を自らの弾性力により元の状態に復帰させると同時に、羽根片の凸部の係合を解除して上記浮きの離脱方法への動き規制を解除するようにしたことを特徴とする請求項１に記載の遠投用天秤付きコマセ籠。
【請求項３】
上記天秤の係止手段を、同天秤の先端部に設けられ、一端に内外に湾曲させて形成したフック部を有する羽根片にて構成する一方、
上記浮きの嵌合部位に径大部を形成してなり、
この浮きをコマセ籠の開口部に嵌合した状態において、該開口部と浮きとの隙間に位置して上記羽根片のフック部を装着することにより、上記天秤及び羽根片をコマセ籠及び開口部に嵌合した浮きと略平行状態に保持すると同時に、上記浮きの離脱方向への動きを規制し、
着水後竿のシャクリに伴う水の抵抗により上記羽根片を回動し、この羽根片の回動動作により上記羽根片のフック部を外して、上記天秤を自らの弾性力により元の状態に復帰させると同時に、上記コマセ籠の開口部に嵌合した浮きの離脱方法への動き規制を解除するようにしたことを特徴とする請求項１に記載の遠投用天秤付きコマセ籠。
【請求項４】
上記天秤の係止手段を、同天秤の先端部に設けられたフック部と、コマセ籠の開口端部外側面に回動自在に設けられ、その一端に鉤部を、他端に一側面に浮きと係合する凸部を設けた翼部とを有する羽根片とにより構成してなり、
上記コマセ籠の開口部に浮きを嵌合した状態で、上記天秤のフック部を回動自在な羽根片の鉤部に係止して、同天秤及び羽根片をコマセ籠及び開口部に嵌合した浮きと略平行状態に保持すると同時に、同羽根片の凸部を該浮きに係合して同浮きの離脱方向への動きを規制し、
着水後竿のシャクリに伴う水の抵抗により上記羽根片を回動し、この羽根片の回動動作により上記天秤のフック部を外して、上記天秤を自らの弾性力により元の状態に復帰させると同時に、上記コマセ籠の開口部に嵌合した浮きの離脱方法への動き規制を解除するようにしたことを特徴とする請求項１に記載の遠投用天秤付きコマセ籠。
【請求項５】
上記天秤の係止手段を、同天秤の先端に形成したフック部により構成してなり、
このフック部をコマセ籠の開口部に対し嵌合方向に所要量移動可能に嵌合された状態の浮きに係止し、上記天秤をコマセ籠と略平行状態に保持すると同時に、該浮きの離脱方向への動きを規制し、
着水時の衝撃による浮きの嵌合方向への移動動作によって、上記天秤のフック部を該浮きの係止部から外して、該天秤を自らの弾性力により元の状態に復帰させると同時に、上記浮きの離脱方向への動き規制を解除するようにしたことを特徴とする請求項１に記載の遠投用天秤付きコマセ籠。
【請求項６】
上記コマセ籠は、その有底部側に道糸が接続され、着水後所定タナに到達するまでは有底部を下にして水没し、所定タナに到達後に反転するようにした反転式コマセ籠であって、
上記天秤は、コマセ籠の周方向に突出する状態において、所要角度コマセ籠側に傾斜した状態に構成し、この天秤に移動自在にハリスを設けてなり、
上記コマセ籠が所定タナに到達して反転した後に、ハリスが天秤の下方向の傾斜によって天秤の基端部側から先端部側に移動するようにした特徴とする請求項１乃至請求項５のいずれかに記載の遠投用天秤付きコマセ籠。
【発明の詳細な説明】
【技術分野】
【０００１】
本発明は、遠投カゴ釣りに使用する遠投用天秤付きコマセ籠に関する。
【背景技術】
【０００２】
一般に、磯釣りや堤防などで行われる遠投カゴ釣りは、遠投用のリール付き竿、道糸、浮き、コマセ籠、ハリスなどから成る釣具を用い、磯や堤防から数十ｍ、例えば４０ｍ〜８０ｍ離れた位置まで遠投し、しかる後一定の深さまでコマセ籠を沈めて同コマセ籠からコマセを放出し、ハリスにより魚を釣るようにしている。
【０００３】
また、遠投時、着水後コマセ籠が所定のタナに到達するまでの水没時、コマセ籠が所定のタナに到達した後、竿をシャクルことで同コマセ籠を上下させて内部に収納したコマセを放出させる時などに、ハリスと道糸及びコマセ籠の動線が近いとその動きの中で同ハリスが道糸やコマセ籠と絡み易い。このため、一般には天秤を用いてハリスと道糸及びコマセ籠との間に所要の間隔を保ちこれを防止することが行われており、例えば特開平９−２３３９８２号公報（特許文献１）などのように天秤をコマセ籠に取り付けた天秤付きコマセ籠も提案されている。
【０００４】
また、遠投時の空気抵抗を軽減してより遠くに飛ぶように、例えば実開平７−３００６３号公報（特許文献２）、特開平１０−２９０６５２号公報（特許文献３）、実開平１−６６８７２号公報（特許文献４）など、遠投時に浮きとコマセ籠を一体化するようにした釣具も種々提案されている。
【先行技術文献】
【特許文献】
【０００５】
【特許文献１】特開平９−２３３９８２号公報
【特許文献２】実開平７−３００６３号公報
【特許文献３】特開平１０−２９０６５２号公報
【特許文献４】実開平１−６６８７２号公報
【発明の開示】
【発明が解決しようとする課題】
【０００６】
しかしながら、上記一般に用いられている遠投カゴ釣りの釣具では、道糸に浮きとコマセ籠をそれぞれ別個に設けるようにしているため、遠投時に同浮き及びコマセ籠が受ける空気抵抗や風の影響で、目的とする遠くのポイントまで容易に遠投できないばかりか、該浮きとコマセ籠が受ける空気抵抗も個々に違うため、方向性も定まらず困難を要していた。特に、釣りの熟練者は未だよいが素人では非常に困難を要するものであった。
また、絡み防止のために天秤を用いた場合には、遠投時にこの天秤が周方向上に突出した状態で飛ぶため、同天秤が受ける空気抵抗によって遠投性能の低下やバランスの悪化を招き、一段と遠方のポイント位置に的確に飛ばすことが難しかった。そのため、遠方のポイント位置へできるだけ的確に飛ばしたい場合には、天秤の使用を控える釣り人も多かった。
【０００７】
なお、上記特許文献２乃至特許文献４に示す遠投時に浮きとコマセ籠を一体化するようにした釣具は、上述した一般に用いられている遠投カゴ釣りの釣具に比し遠投時の空気抵抗を極力抑えることができると共に、方向性も向上させることができ望ましいが、何れも浮きの一部をコマセ籠の連結具若しくは一端開口部に単に嵌合して両者を連結するようにしているため、例えば両者の嵌合状態をきつくすると、遠投時の離脱は防止できるものの着水後の離脱が難しく、逆に両者の嵌合状態を緩めにすると、着水後の離脱は良くなるものの遠投時に不用意に離脱するなど、両者の連結及び離脱が不安定で殆ど使用されていないのが実情である。
また、遠投時に浮きとコマセ籠を一体化するようにした釣具に上記天秤を用いた場合、浮きとコマセ籠との一体化による遠投性能や方向性が図れる反面、天秤による遠投性能の低下は避けられず、総合的な遠投性能や方向性の改善は不十分なものであった。
【０００８】
なお、特許文献２においては、浮きとコマセ籠との離脱をより確実にするため、浮きの内部に長手方向に移動する錘を設けたり、接続具部位に水圧導入孔を設けているが、これで十分且つ安定なものとは言い難く、逆に浮きなどの構造が複雑となってコスト高となるなどの問題を招き実用化に至っていない。
【０００９】
また、スプリング等を用いたロック／ロック解除機構を浮き若しくはコマセ籠に設けたものも一部提案されているが、部品点数が増して構造が複雑となりコスト高となるばかりか、海水中で使用するため錆の発生による動作不良を招くなど信頼性に欠け実用化に至っていない。
【００１０】
本発明は上記点に鑑みなされたもので、釣りの熟練者のみならず、初心者でも容易に遠方まで遠投でき、また浮きとコマセ籠との結合及び離脱を簡単な構成にして確実に且つ安価な遠投用天秤付きコマセ籠を提供するものである。
【課題を解決するための手段】
【００１１】
本発明は、第１に、内部にコマセ収納部を有し、一端に遠投時に浮きが嵌合して閉塞される開口部を設ける一方、他端に錘を有する有底部を設けた断面略Ｕ形状のコマセ籠と、同コマセ籠の有底部に設けた周方向に突出且つ弾性力を有する天秤とから構成してなる遠投用天秤付きコマセ籠において、
上記天秤の先端部に上記コマセ籠の開口部端部若しくはコマセ籠の開口部に嵌合した浮きに係止する止手段を設け、
遠投時には、上記天秤の係止手段をコマセ籠の開口部端部若しくは同コマセ籠の開口部に嵌合した浮きに係止して、該天秤をコマセ籠と略平行状態に保持すると同時に、同係止手段にて該コマセ籠の開口部に嵌合した浮きの離脱方向への動きを規制し、
着水後、上記天秤の係止手段の係止を外して、同天秤を自らの弾性力により元の状態に復帰させると同時に、上記コマセ籠の開口部に嵌合した浮きの離脱方向の動き規制を解除するようにしたことを主要な特徴とする。
【００１２】
第２に、上記天秤の係止手段を、同天秤の先端部に設けられ、一端に上記コマセ籠の開口部内側面に係止するフック部と、一側面に浮きと係合する凸部を設けた翼部とを有する羽根片により構成してなり、
上記羽根片のフック部をコマセ籠の開口部内側面に係止して、上記天秤及び羽根片を上記コマセ籠及び開口部に嵌合した浮きと略平行状態に保持すると同時に、上記羽根片の凸部を該コマセ籠の開口部に嵌合した浮きに係合して同浮きの離脱方向への動きを規制し、
着水後竿のシャクリに伴う水の抵抗により上記羽根片を回動し、この羽根片の回動動作により上記羽根片のフック部を外して、上記天秤を自らの弾性力により元の状態に復帰させると同時に、羽根片の凸部の係合を解除して上記浮きの離脱方法への動き規制を解除するようにしたことを主要な特徴とする。
【００１３】
第３に、上記天秤の係止手段を、同天秤の先端部に設けられ、一端に内外に湾曲させて形成したフック部を有する羽根片にて構成する一方、
上記浮きの嵌合部位に径大部を形成してなり、
この浮きをコマセ籠の開口部に嵌合した状態において、該開口部と浮きとの隙間に位置して上記羽根片のフック部を装着することにより、上記天秤及び羽根片をコマセ籠及び開口部に嵌合した浮きと略平行状態に保持すると同時に、上記浮きの離脱方向への動きを規制し、
着水後竿のシャクリに伴う水の抵抗により上記羽根片を回動し、この羽根片の回動動作により上記羽根片のフック部を外して、上記天秤を自らの弾性力により元の状態に復帰させると同時に、上記コマセ籠の開口部に嵌合した浮きの離脱方法への動き規制を解除するようにしたことを主要な特徴とする。
【００１４】
第４に、上記天秤の係止手段を、同天秤の先端部に設けられたフック部と、コマセ籠の開口端部外側面に回動自在に設けられ、その一端に鉤部を、他端に一側面に浮きと係合する凸部を設けた翼部とを有する羽根片とにより構成してなり、
上記コマセ籠の開口部に浮きを嵌合した状態で、上記天秤のフック部を回動自在な羽根片の鉤部に係止して、同天秤及び羽根片をコマセ籠及び開口部に嵌合した浮きと略平行状態に保持すると同時に、同羽根片の凸部を該浮きに係合して同浮きの離脱方向への動きを規制し、
着水後竿のシャクリに伴う水の抵抗により上記羽根片を回動し、この羽根片の回動動作により上記天秤のフック部を外して、上記天秤を自らの弾性力により元の状態に復帰させると同時に、上記コマセ籠の開口部に嵌合した浮きの離脱方法への動き規制を解除するようにしたことを主要な特徴とする。
【００１５】
第５に、上記天秤の係止手段を、同天秤の先端に形成したフック部により構成してなり、
このフック部をコマセ籠の開口部に対し嵌合方向に所要量移動可能に嵌合された状態の浮きに係止し、上記天秤をコマセ籠と略平行状態に保持すると同時に、該浮きの離脱方向への動きを規制し、
着水時の衝撃による浮きの嵌合方向への移動動作によって、上記天秤のフック部を該浮きの係止部から外して、該天秤を自らの弾性力により元の状態に復帰させると同時に、上記浮きの離脱方向への動き規制を解除するようにしたことを主要な特徴とする。
【００１６】
第６に、上記コマセ籠は、その有底部側に道糸が接続され、着水後所定タナに到達するまでは有底部を下にして水没し、所定タナに到達後に反転するようにした反転式コマセ籠であって、
上記天秤は、コマセ籠の周方向に突出する状態において、所要角度コマセ籠側に傾斜した状態に構成し、この天秤に移動自在にハリスを設けてなり、
上記コマセ籠が所定タナに到達して反転した後に、ハリスが天秤の下方向の傾斜によって天秤の基端部側から先端部側に移動するようにした事を主要な特徴とする。
【発明の効果】
【００１７】
本発明による遠投用天秤付きコマセ籠においては、遠投時にコマセ籠の開口部に浮きを嵌合して両者を一体化すると共に、天秤が同コマセ籠と略平行状態となるように保持してなるので、その相乗効果により、コマセ籠や浮き及び天秤への空気抵抗を極力抑えると共に、方向性も一段と向上させることができ、遠投性能の向上を著しく図ることができる。よって、釣りの熟練者のみならず、初心者でも所望の遠くのポイント位置まで容易に遠投させることができる利点がある。
【００１８】
また、天秤の先端部に形成した係止手段を、浮き又はコマセ籠の開口部又コマセ籠の開口端部外側面に設けた羽根片に係止して、同天秤や羽根片をコマセ籠や浮きと略平行状態に保持すると同時に、開口部に嵌合した浮きの離脱法の動きを規制し、着水時の衝撃による浮きの嵌合方向への移動動作、若しくはシャクリによる羽根片の回動動作により係止手段を外して、同天秤を自らの弾性力により元の状態に復帰させると同時に、浮きの離脱方向の動き規制を解除するようにしてなるので、コマセ籠と浮きとの離脱防止及び着水後の確実な離脱を極めて簡単な構成にして安定して行わせることができる。しかも、釣り時には本来の天秤機能が作用しハリスと道糸及びコマセ籠との絡みを防止することができるという利点がある。
【００１９】
また、ハリスを天秤に移動自在に設け、遠投時からコマセ籠が予定タナに到達するまで、ハリスを天秤の基端部側に位置するようにしたものにおいては、ハリスを弛みがない状態でコマセ籠外周面に巻回して留めることができ、巻回したハリスが勝手に緩むのを防止できる。よって、複数の針を有するハリスを用いた場合に、最下端側の釣り針はコマセ籠内に収納するが、他の釣り針をコマセ籠の外周面にハリスで巻回して留めたとしても、ハリスが緩んで釣り針が外れて絡むと云った不具合もなく、複数の釣り針を有するハリスに対応できる効果を奏する利点がある。
【００２０】
しかも、本発明の遠投用天秤付きコマセ籠に使用する浮きは、コマセ籠の開口部に嵌合し同開口部を閉塞するものでよいため、市販の棒状又は砲弾型の遠投ウキをそのまま利用することができると共に、遠投性能に優れ且つ天秤機能も損なうこともない信頼性の高い遠投用天秤付きコマセ籠を極めて簡単な構成にして安価に提供することができるものである。
【図面の簡単な説明】
【００２１】
【図１】本発明の一実施例を示す遠投用天秤付きコマセ籠の斜視図である。（実施例１）
【図２】図１遠投用天秤付きコマセ籠の側面図である。（実施例１）
【図３】図１の遠投用天秤付きコマセ籠における天秤を係止した時の状態を示す天秤付きコマセ籠の断面図である。（実施例１）
【図４】図３の天秤の係止手段の要部拡大断面図である。（実施例１）
【図５】図１の遠投用天秤付きコマセ籠の上面図である。（実施例１）
【図６】本発明の一実施例の遠投用天秤付きコマセ籠を用いた釣具を示し、（ａ）は通常時の釣具の全体構成を示す説明図、（ｂ）は遠投時の釣具の全体構成を示す説明図である。（実施例１）
【図７】本発明の一実施例の遠投用天秤付きコマセ籠の着水時を示し、（ａ）着水直後の状態を示す説明図、（ｂ）は天秤が元の状態に復帰した状態を示す説明図、（ｃ）はコマセ籠と浮きが離脱した状態を示す説明図である。（実施例１）
【図８】図７の離脱した天秤付きコマセ籠が水没する時の状態を示す説明図である。（実施例１）
【図９】図８の天秤付きコマセ籠が所定タナに到達した後の状態を示す説明図である。（実施例１）
【図１０】本発明の他の実施例を示す遠投用天秤付きコマセ籠を示す要部断面図である。（実施例２）
【図１１】本発明の他の実施例を示す遠投用天秤付きコマセ籠の斜視図である。（実施例３）
【図１２】図１１の遠投用天秤付きコマセ籠の要部拡大断面図である。（実施例３）
【図１３】本発明の他の実施例を示す遠投用天秤付きコマセ籠の斜視図である。（実施例４）
【図１４】図１３の遠投用天秤付きコマセ籠の断面図である。（実施例４）
【図１５】図１３の天秤の係止状態を示し、（ａ）は天秤のフック部が浮きの係止部に係止した時の状態を示す要部拡大断面図、（ｂ）は天秤のフック部が浮きの係止部から外れた時の状態を示す要部拡大断面図である。（実施例４）
【図１６】図１３の遠投用天秤付きコマセ籠の上面図である。（実施例４）
【図１７】図１３の遠投用天秤付きコマセ籠を用いた釣具の遠投時前の釣具全体構成を示す説明図である。（実施例４）
【図１８】図１７の遠投用天秤付きコマセ籠の着水時を示し、（ａ）はコマセ籠の着水直後の状態を示す説明図、（ｂ）は天秤が元の状態に復帰した状態を示す説明図、（ｃ）は離脱したコマセ籠が水没する状態を示す説明図である。（実施例４）
【図１９】図１８のコマセ籠の所定タナ到達後の様子を示し、（ａ）は所定タナに到達したコマセ籠が反転した状態を示す説明図、（b）は反転したコマセ籠から巻回したハリスが解けて釣りの状態となった時の説明図である。（実施例４）
【発明を実施するための最良の形態】
【００２２】
釣りの熟練者のみならず、初心者でも容易に遠方まで遠投でき、また浮きとコマセ籠との結合及び離脱を簡単な構成にして確実に且つ安価な遠投用天秤付きコマセ籠を提供するために、天秤の先端部に設けた係止手段にて、遠投時は天秤をコマセ籠と略平行状態に位置させると同時に、嵌合した浮きの離脱方向への動きを規制し、着水後はこの係止手段を外して天秤の自らの弾性力によりコマセ籠の円周方向に突出する状態に復帰させると同時に、嵌合した浮きの離脱方向への動き規制を解除するようにした。
【実施例１】
【００２３】
天秤の係止手段を羽根片を用いて行うようにした本発明の実施例１の遠投用天秤付きコマセ籠を図１乃至図９を用いて以下詳述する。
図１及び図２に示す遠投コマセ籠本体１は、断面略Ｕ形状のコマセ籠２と、このコマセ籠２の有底部５に設けた弾性力を有する天秤１０とから大略構成している。
上記コマセ籠２は、図１及び図３に示すように内部にコマセ収納部３を、その一端に浮き１７が嵌合する開口部４を、他端に錘６を内蔵する有底部５から構成している。そして、このコマセ籠２の開口端側外壁に図１及び図３に示すように道糸Ｍをコマセ籠２の内部に導くためのスリット７を、開口端内側面に図１、図３及び図５に示すように該開口部４に嵌合される浮き１７との摩擦を軽減し安定して保持するための複数個のリブ８を、更には同開口端内側面の一部に図４に示すように上記天秤１０を係止するための係止凹部９を形成している。また、上記コマセ籠２の下端部にはサルカン等の結着部１６を設け、この結着部１６に上記浮き１７を介して導かれた道糸Ｍを接続している。
【００２４】
上記天秤１０は、錆び難い１本の針金部材によって弾性力を有して構成されており、図１及び図２に示すようにコマセ籠２に対して周方向に突出するように設けられ、同天秤１０先端部１０ａがコマセ籠２から所定間隔離間するようにしている。そして、この天秤１０の先端部１０ａには係止手段となる羽根片１１を設けている。この羽根片１１は、図４に示すように同羽根片１１の外側面に形成したリング部１５に天秤１０の先端部１０ａを連結し同羽根片１１を回動自在に軸支されている。また、同羽根片１１は、その一端に設けた上記コマセ籠２の係止凹部９に係止するフック部１２と、他端に設けた翼部１３とから構成している。また、この翼部１３のコマセ籠２側となる一側面に、上記コマセ籠２の開口部４に嵌合した浮き１７と係合する凸部１４を設けている。なお、上記リング部１５には釣り針１９を有するハリスＳが装着されている。
よって、図２及び図６（ａ）に示すように道糸Ｍには、浮き止め１８、浮き１７、上記遠投用天秤付きコマセ籠本体１、ハリスＳ等が順次取り付けられた状態となっている。
【００２５】
次ぎに、その使用時について以下詳述する。
先ず、図３に示すようにコマセ籠２のコマセ収納部３内に開口部４から撒き餌（コマセ）ａを入れ、その上に餌を付けた釣り針１９を入れ、浮き１７下部の道糸Ｍをスリット７を介してコマセ籠２内に通した後に、図２及び図３に示すように浮き１７の下端部をコマセ籠２の開口部４に嵌合する。この際、コマセ籠２の開口部４は上記浮き１７にて閉塞される。なお、浮き１７はコマセ籠２の開口端内側面に設けられた複数のリブ６によって保持されるので、嵌合時の摩擦が軽減されスムーズに嵌合作業が行えると共に、適度な力で保持される。
【００２６】
そして、羽根片１１の翼部１３を把持し、図１乃至図４に示すようにフック部１２をコマセ籠２の開口部４と浮き１７との隙間に差し込んで同開口端内側面に設けた係止凹部９に係止すると、図２及び図３に示すように天秤１０及び羽根片１１はコマセ籠２及び開口部４に嵌合された浮き１７の外側面に沿った略平行状態に保持される。又この際、図４に示すように羽根片１１の翼部１３の一側面に形成した凸部１４が、浮き１７の外側面と係合する。これにより、同浮き１７は羽根片１１の凸部１４によりその動きを規制され、安易に開口部４から抜けなくなる。
【００２７】
次に、図６（ｂ）に示す状態において竿を振りかざして遠投すると、コマセ籠２は錘６を内蔵する有底部５を先頭として飛行する。この際、コマセ籠２と浮き１７は略直線上に一体化された結合状態で飛行すると共に、天秤１０及び羽根片１１もこのコマセ籠２及び浮き１７と略平行状態に保持されて一緒に飛行するので、遠投時の空気抵抗も大幅に低減し、風の影響も受け難く且つ方向性も安定するので、遠投性能を著しく向上することができる。よって、釣りの熟練者のみならず初心者でも容易に遠方まで遠投できる。
【００２８】
そして、着水後は、結合状態の上記コマセ籠２と浮き１７は、図７（ａ）に示すように海面上で天秤１０及び羽根片１１の重量により同天秤１０及び羽根片１１を下にして横転した状態や、コマセ籠２が重いため一時的に起立した状態で浮かんでいるが、道糸Ｍの弛みをなくして竿をシャクルと図７（ａ）に示す横転状態で引っ張られる。このため、図７（ｂ）に示すように翼部１３が水の抵抗によって回動、即ち羽根片１１が回動してフック部１２がコマセ籠２の係止凹部９から外れるので、天秤１０は自身の弾性力によりコマセ籠２に対して周方向に突出する元の状態に復帰し、ハリスＳと道糸Ｍ及びコマセ籠２とを所要間隔離間せしめ本来の天秤機能が作用することとなる。
【００２９】
この際、羽根片１１の翼部１３の一側面に形成した凸部１４も、同羽根片１１の回動動作と同時に浮き１７から外れ、同浮き１７の動き規制を解除する。これにより、開口部４に嵌合している浮き１７は、浮き１７の浮力とコマセ籠２の自重とによって離脱し、図７（ｃ）に示すように同浮き１７は海面に浮かび、コマセ籠２は有底部５を下にして水中に沈んでいく。
【００３０】
また、浮き１７の離脱に伴いコマセ籠２の開口部４が開放されるので、コマセ収納部３内に収納していた餌を付けた釣り針１９が外部に放出されるが、天秤１０にて道糸Ｍ及びコマセ籠２と所要間隔離間された状態とされているため、図８に示すようにコマセ籠２が有底部５を下にして水中に沈んでいく過程で釣り針１９が道糸Ｍ及びコマセ籠２と絡むのを防止できる。
やがて所定タナに達すると、図９に示す如くコマセ籠２は反転し、水中での釣りの仕掛けは完了する。そして、竿をシャクってコマセ籠２を上下動させてコマセ収納部３内の撒き餌（コマセ）ａを適量放出して釣りを楽しむ。
【実施例２】
【００３１】
天秤１０の係止手段となる羽根片１１のフック部１２にて直接浮き１７の動き規制を行うようにするようにした実施例２について、以下図１０を用いて以下詳述する。なお、実施例１と同一部品には同一番号を付し説明を省略する。
図１０に示すように、浮き１７にはコマセ籠２への嵌合部位に位置して外周方向に突出する径大部２０を形成している。例えば同図１０に示すように筒状の係止環２１を装着して形成する。なお、実施例１にてコマセ籠２の開口端内側面に形成したリブ８をこの係止環２１と一体的に形成し、コマセ籠２側には形成不要としている。
【００３２】
一方、羽根片１１には、図１０に示すようにその一端を内外に湾曲させて、先端にコマセ籠２の開口部４部位に係止するフック部１２を形成すると共に、その反対面側にカール状のリング部１５を形成し、このリング部１５に天秤１０の先端を接続する。また、他端の翼部１３の先端にハリスＳを接続している。
【００３３】
次ぎにその使用について説明する。図１０に示すように上記羽根片１１のフック部１２をコマセ籠２の開口部４の端部に引っ掛け、その後浮き１７を同コマセ籠２の開口部４に嵌合する。なお、コマセ籠２の開口部４に浮き１７を嵌合した後に、上記羽根片１１のフック部１２を同開口部４と浮き１７との間に差し込んで装着するようにしても何等問題ない。
【００３４】
そして、同浮き１７の径大部２０がフック部１２を乗り越えた状態まで押し込み径大部２０の段差部分にフック部１２の先端が係合するようにすることにより、天秤１０及び羽根片１１をコマセ籠２及び浮き１７に対して略平行状態に保持すると同時に、上記フック部１２と径大部２０の段差部分との係合により同浮き１７の離脱方向への動きを規制する。
【００３５】
着水後、実施例１同様に竿をシャクルことにより翼部１３が水の抵抗によって回動、即ち羽根片１１が回動してフック部１２がコマセ籠２の開口部４から外れるので、天秤１０は自身の弾性力によりコマセ籠２に対して周方向に突出する元の状態に復帰し、ハリスＳと道糸Ｍ及びコマセ籠２とを所要間隔離間せしめ本来の天秤機能が作用する。また、これによりフック部１２と浮き１７の径大部２０との係合も外れ同浮き１７の離脱方向への動き規制も解除されることになる。
【００３６】
この場合、羽根片１１の翼部１３の一側面に浮き１７に係合する凸部１４が不要となるので、同浮き１７の外側面が傷付つくこともない。また、単にコマセ籠２の開口部４の端縁の任意位置にフック部１２を引っ掛けた後に浮き１７を嵌合すればよいので、例えば夜間における暗闇時でも作業性が良く、素早くセットすることができるなど操作性も向上できるものである。
【００３７】
なお、図１０に示すように羽根片１１の自由端側先端（翼部１３の先端部）にハリスＳを接続した場合、天秤１０に対して自由に回動する羽根片１１の回動支点の近くで接続した場合には、自由に回動する羽根片１１とハリスＳが絡むことも考えられるが、両者の絡みも極力防止することができる。
【実施例３】
【００３８】
天秤１０の係止手段となる羽根片１１をコマセ籠２の開口端部外側面に設けた第３の実施例について図１１及び図１２を用いて以下詳述する。なお、実施例１と同一部品については同一符号を付記し説明を省略する。
図１１及び図１２に示すように、コマセ籠２の開口端部外側面に回動自在に羽根片１１を軸支している。この羽根片１１には、回動支点を中心としてその一端側に鉤部２１を、他端側に一側面に凸部１４を有する翼部１３を形成している。なお、天秤１０の先端部には上記鉤部２２に係止するための止輪２３を形成し、この止輪２３にハリスＳを接続している。
【００３９】
次ぎにその使用時について説明する。先ず、図１１に示すようにコマセ籠２の開口部４に浮き１７を嵌合した後、天秤１０の止輪２３を羽根片１１の鉤部２２に引っ掛けると、同天秤１０及び同羽根片１１をコマセ籠２及び浮き１７の外側面に沿った平行状態に保持すると同時に、羽根片１１の翼部１３の凸部１４が浮き１７の外側面と係合し同浮き１７の動きを規制する。
【００４０】
着水後、実施例同様に竿をシャックルことにより翼部１３が水の抵抗によって回動、即ち羽根片１１が回動して止輪２３が鉤部２２から外れるので、天秤１０は自身の弾性力によりコマセ籠２に対して周方向に突出する元の状態に復帰し、ハリスＳと道糸Ｍ及びコマセ籠２とを所要間隔離間せしめ本来の天秤機能が作用するまた、これにより翼部１３の凸部１４が浮き１７の外側面から外れ同浮き１７の動き規制も解除されることになる。
【実施例４】
【００４１】
次ぎに、天秤１０先端に形成した係止手段となるフック部を直接浮き１７に係止して、天秤１０の平行状態保持と浮き１７の動き規制を行うようにした実施例４について、以下図１３乃至図１９を用いて詳述する。なお、実施例１と同一部品は同一番号を付記する。
図１３及び図１４に示す遠投コマセ籠本体１は、断面略Ｕ形状のコマセ籠２と、このコマセ籠２の有底部５に設けた弾性力を有する天秤１０とから大略構成している。
【００４２】
上記コマセ籠２は、図１３及び図１４に示すように内部にコマセ収納部３を、その一端に浮き１７が嵌合される開口部４を、他端に錘６を内蔵する有底部５から構成している。そして、このコマセ籠２の開口端側外壁に図１３及び図１６に示すように道糸Ｍをコマセ籠２の内部に導くためのスリット７を複数個形成し、上記開口部４部位に後述する浮きを嵌合する際の所要の弾性力を付与するようにしている。また、コマセ籠２の外周壁及び有底部５には必要に応じて複数の水抜き孔２４を形成している。
【００４３】
上記コマセ籠２の開口部４に嵌合する浮き１７は、例えば図１３に示すように内部に道糸Ｍを通す貫通孔２５を有する棒状中通し式の遠投浮きが用いられる。この浮き１７の下端部にはコマセ籠２の開口部４の内径と略同一外径且つ所要長さとした嵌合部２７と、その上部に外周に突出する係止部２８を有する係止環２６が設けられている。
なお、浮き１７の貫通孔２５を通して導出された道糸Ｍは結着部（サルカンなど）１６を介して上記コマセ籠２の有底部５に接続されている。
【００４４】
上記コマセ籠２の有底部５に設けられた天秤１０は、錆び難い１本の針金部材によって弾性力を有して構成され、通常時には図１３及び図１４に示すようにコマセ籠２に対して周方向に突出すると共に、同コマセ籠２側に所要角度傾斜した状態に形成されている。
【００４５】
そして、この天秤１０の先端部１０ａには、上記浮き１７の係止部２８に係止するフック部１２を形成している。また、同天秤１０には結着部（サルカンなど）１６を介してハリスＳが移動自在に設けられており、このハリスＳが天秤１０の基端部１０ｂと先端部１０ａとの間で移動可能としている。なお、ハリスＳは１個又は複数個の釣り針を有するものであってもよく、図１３及び図１４においては複数個の釣り針１９を有するハリスＳを示している。
【００４６】
なお、図１４及び図１７に示すように道糸Ｍには浮き１７の前後に位置して浮き止め１８・１８を設けると共に、下部側の浮き止め１８の下方に位置して更に上記スリット７の幅と略同じ太さとした回転止め２９を設けている。
【００４７】
次ぎに、その使用時について以下詳述する。
先ず、図１４に示すようにコマセ籠２のコマセ収納部３内に開口部４から撒き餌（コマセ）ａを入れた後、ハリスＳの結着部１６を天秤１０の基端部１０ｂ側に位置させた状態で、図１７に示すようにハリスＳをコマセ籠２の外周面に巻回して図１５に示すように最下端となる餌を付けた釣り針１９を上記スリット７を介してコマセ収納部３内に入れる。
この際、複数個の釣り針１９が設けられたハリスＳを使用した場合には、図１７に示すように順次上側に位置する釣り針１９をコマセ籠２外周面に置いた上からハリスＳを巻回して同ハリスＳと一緒にコマセ籠２外周面に留めるようにし、最後に最下端の釣り針１９をスリット７を介してコマセ収納部３内に入れるようにする。
【００４８】
この際、例えば天秤１０の先端にハリスＳを設けた場合には、同天秤１０がコマセ籠２の外側面に沿わせた略平行状態から周方向に突出する状態に復帰動作するために、ハリスＳに所要の弛みを付与する必要があるが、この状態でハリスＳをコマセ籠２外周面に巻回すると、該弛みによってハリスＳの巻回が緩み解けてしまう。これによりコマセ籠２外周面に留めていた釣り針１９も外れてハリスＳやコマセ籠２や天秤１０と絡んでしまう畏れがあるが、ハリスＳの接続部１２が天秤１０の基端部１０ｂに位置しハリスＳの弛みがない状態で巻回できるため、巻回したハリスＳが緩むこともなく釣り針１９が外れて絡むことも未然に防止できる。
【００４９】
しかる後、図１３及び図１４に示すように回転止め２９をスリット７に強制的に通して浮き１７下部の道糸Ｍをコマセ籠２内に導出する。この際、図１５（ａ）に示すようにスリット７下端の内側にハリスＳを上から押さえるようにして回転止め２９が位置するため、コマセ収納部３内に収納した最下端に位置する釣り針１９が誤ってスリット７から抜け出るのを防止することができると共に、道糸Ｍの緩みも防止することができる。
【００５０】
そして、浮き１７をコマセ籠２の開口部４に嵌合すると、コマセ籠２の開口部４は上記浮き１７にて閉塞される。この際、コマセ籠２の開口部４の内径と浮き１７の嵌合部２７の外径寸法とを略同一にしてなるので、コマセ籠２の開口端部の弾性力と相まって適度なフリクションを有して嵌合されることになる。
【００５１】
ここで、浮き１７を図１５（ｂ）に示すように係止環２６の係止部２８の段差部がコマセ籠２の開口部４の開口端と接するまで押し込んだ状態において、図１４に示す周方向に突出した状態の天秤１０を図１５（ｂ）に示すようにコマセ籠２側面近くまで回動し、図１５（ａ）に示すように浮き１７を離脱方向に若干移動すると天秤１０のフック部１２が浮き１７の係止部２８に係止し、該天秤１０はコマセ籠２の外側面に沿わせた略平行状態に保持される。これと同時に浮き１７はこれ以上の離脱方向への動きが規制され、開口部４から抜けるのを阻止される。この状態において、上記浮き１７は同図１５（ａ）に示すように係止部２８の段差部とコマセ籠２の開口部４の開口端との間隙Ｘ分だけ嵌合方向に移動可能な状態とされている。
【００５２】
次に、図１７に示す状態において竿を振りかざして遠投すると、コマセ籠２は錘６を内蔵する有底部５側を先頭として飛行する。この際、コマセ籠２と浮き１７は略直線上に一体化された結合状態で飛行すると共に、天秤１０もこのコマセ籠２の外側面に沿った略平行状態に保持されて一緒に飛行するので、遠投時の空気抵抗も大幅に低減し、風の影響も受け難く且つ方向性も安定するので、遠投性能を著しく向上することができる。よって、釣りの熟練者のみならず初心者でも目的とする遠方のポイントまで容易に遠投することができる。
【００５３】
そして、着水時には、図１８（ａ）に示すように結合状態のコマセ籠２と浮き１７は同コマセ籠２の有底部５を下にして着水するが、この着水時の衝撃によって該浮き１７が図１５（ａ）に示す位置から図５（ｂ）に示す位置に移動、即ち嵌合方向に間隙Ｘ分移動する。これにより、天秤１０のフック部１２と浮き１７の係止部２８との係止が外れ、図１８（ｂ）に示すように天秤１０は自身の弾性力により元のコマセ籠２に対して周方向に突出する状態に復帰すると同時に、浮き１７の離脱方向の動き規制も解除される。
【００５４】
これにより、浮き１７は、浮き自身の浮力とコマセ籠２のコマセ収納部３内に浸入してきた海水の水圧などによってコマセ籠２の開口部４から離脱するので、離脱した浮き１７は海面に浮かぶ一方、コマセ籠２は図１８（ｃ）に示すように有底部５を下にした状態で水中に沈んでいく。
【００５５】
やがて所定タナに到達し、コマセ籠２が図１９（ａ）に示すように反転すると、コマセ収納部３内に収納されていた最下端の釣り針１９が外部に放出される。これによりコマセ籠２の外周面に巻回していたハリスＳが解けるので、ハリスＳと一緒に留められていた他の釣り針１９も順次開放されることとなる。
【００５６】
ハリスＳが全て解けると、ハリスＳの結着部１６は、天秤１０の下方向の傾斜によって基端部１０ｂ側から先端部１０ａ側に移動するので、同天秤１０の先端部１０ａに最終的に達し本来の天秤機能が作用することとなる。以上により、水中での釣りの仕掛けは完了し、以後は竿をシャクってコマセ籠２を上下動しコマセ収納部３内の撒き餌（コマセ）ａを適量放出して釣りを楽しむ。
【００５７】
上述したように、遠投時は無論のこと、着水時から所定タナに達してコマセ籠２が反転するまでは、ハリスＳは緩みのない状態でコマセ籠２の外周面に巻回してなるので、この過程で勝手にハリスＳが緩んで道糸Ｍやコマセ籠２と絡むのを防止することができる。
【００５８】
なお、反転式コマセ籠とし、天秤１０を所要角度コマセ籠側に傾斜させると共に、この天秤１０にハリスＳを移動自在に設けるようにした構成を、上記実施例１乃至実施例３の遠投用天秤付きコマセ籠に適用しても構わず、この場合複数の釣り針１９を有するハリスＳに対応できることは言うまでもない。
【００５９】
また、上記各実施例においては浮き１７に一般的な棒状中通し式の遠投浮きを用いたものについて説明したが、これに限定されるものではなく例えば図１０に示すように一般的な環付き遠投浮きを用いても何等構わない。また、棒状タイプの浮きに限らず、コマセ籠２の開口部４に嵌合して同開口部４を閉塞すると共に、羽根片１１の係合部１４が係合できる形状であれば砲弾型タイプの浮きであっても構わない。
【００６０】
上述のように遠投性能に優れ、浮きとコマセ籠との結合及び離脱を確実に行わせることができ、絡みも防止できる遠投用天秤付きコマセ籠を、極めて簡単な構成にして安価な提供することができるものである。
【符号の説明】
【００６１】
１    遠投用天秤付きコマセ籠本体
２    コマセ籠
３    コマセ収納部
４    開口部
５    有底部
６    錘
７    スリット
８    リブ
９    係止凹部
１０    天秤
１０ａ    先端部
１０ｂ    基端部
１１    羽根片
１２    フック部
１３    翼部
１４    凸部
１５    リング部
１６    結着部（サルカンなど）
１７    浮き
１８    浮き止め
１９    釣り針
２０    径大部
２１、２６    係止環
２２    鉤部
２３    止輪
２４    水抜き孔
２５    貫通孔
２７    嵌合部
２８    係止部
２９    回転止め
ａ    撒き餌
Ｍ    道糸
Ｓ    ハリス
【図１】
2012090622.tif 000003
【図２】
2012090622.tif 000004
【図３】
2012090622.tif 000005
【図４】
2012090622.tif 000006
【図５】
2012090622.tif 000007
【図６】
2012090622.tif 000008
【図７】
2012090622.tif 000009
【図８】
2012090622.tif 000010
【図９】
2012090622.tif 000011
【図１０】
2012090622.tif 000012
【図１１】
2012090622.tif 000013
【図１２】
2012090622.tif 000014
【図１３】
2012090622.tif 000015
【図１４】
2012090622.tif 000016
【図１５】
2012090622.tif 000017
【図１６】
2012090622.tif 000018
【図１７】
2012090622.tif 000019
【図１８】
2012090622.tif 000020
【図１９】
2012090622.tif 000021